(57)【要約】  硬膜上腔を認知するための探知装置を提供する。所定形状の上部ケース及び上部ケースと結合されて所定の空間部を形成する下部ケースを含み、一端部は穿刺針部と連通し、他端部は着脱可能なキャップ部が備えられ、外周面の所定位置には圧力を測定する圧力センサーと連通する開口部が備えられた連結チューブを空間部の所定位置に備え、穿刺針部が硬膜上腔に到逹すれば、連結チューブと穿刺針部が結合された状態で薬物注入用カテーテルが前記連結チューブに挿入されて硬膜上腔に到逹することができるようにする硬膜上腔認知探知装置である。
2018532552.tif 000002
【特許請求の範囲】
【請求項１】
硬膜上腔を認知する探知装置であって、
所定形状の上部ケース、及び
前記上部ケースと結合されて所定の空間部を形成する下部ケースを含み、
一端部は穿刺針部と連通し、他端部は着脱可能なキャップ部が備えられ、外周面の所定位置には圧力を測定する圧力センサーと連通する開口部が備えられた連結チューブを前記空間部の所定位置に備え、
穿刺針部が硬膜上腔に到逹すれば、前記連結チューブと穿刺針部が結合された状態で薬物注入用カテーテルが前記連結チューブに挿入されて硬膜上腔に到逹することができるようにする、硬膜上腔認知探知装置。
【請求項２】
前記上部ケースには穿刺針部を固定するための固定突起を備え、前記下部ケースには穿刺針部を収容して固定する固定切欠部を備え、
前記空間部には前記圧力センサーの結果を演算するプログラムが組み込まれたプリント基板をさらに備えたことを特徴とする、請求項１に記載の硬膜上腔認知探知装置。
【請求項３】
前記演算された圧力センサーの結果値を知らせるＬＥＤランプを前記プリント基板にさらに備えたことを特徴とする、請求項２に記載の硬膜上腔認知探知装置。
【請求項４】
前記薬物注入用カテーテルの移動距離を感知することができる移動距離センサーを前記プリント基板にさらに備えたことを特徴とする、請求項２に記載の硬膜上腔認知探知装置。
【請求項５】
前記移動距離センサーの結果を知らせるＬＣＤ表示窓を前記プリント基板にさらに備えたことを特徴とする、請求項４に記載の硬膜上腔認知探知装置。
【請求項６】
前記上部ケースは拡散ＰＣから製作されたことを特徴とする、請求項４に記載の硬膜上腔認知探知装置。
【請求項７】
前記上部ケースの一側面には電源ボタン及びリセットボタンをさらに備えたことを特徴とする、請求項５に記載の硬膜上腔認知探知装置。
【請求項８】
前記連結チューブの一端部と他端部は前記上部ケースと下部ケース間の空間部の外部に突出するように備えられることを特徴とする、請求項７に記載の硬膜上腔認知探知装置。
【請求項９】
穿刺針部と連結される前記連結チューブの一端部の外側面には外形拡張部をさらに備えたことを特徴とする、請求項８に記載の硬膜上腔認知探知装置。
【請求項１０】
前記外形拡張部は弾性体からなることを特徴とする、請求項９に記載の硬膜上腔認知探知装置。
【発明の詳細な説明】
【技術分野】
【０００１】
本発明は硬膜上腔を認知するための探知装置に関するもので、より詳しくは脊椎神経成形術と遮断術の成功率を高めるための硬膜上腔の圧力変化を正確に認知することができる圧力センサーを備え、また穿刺針と探知装置を分離しなくても薬物を注入することができる硬膜上腔認知探知装置に関するものである。
【背景技術】
【０００２】
我が国で一番多い人々が痛症を訴える部位は脊椎関連部位である。座式生活文化の影響によって脊椎疾患が多く発生して、痛症患者１０人のうち３人位が腰のため苦労しているという調査結果もあり、１０人のうち９人は一生に一度ほどは腰痛症を経験したと知られている程度の非常に有り勝ちな疾病と言われ、脊椎疾患患者は持続的に増加している。
【０００３】
脊椎疾患は神経の損傷によって極甚な痛症が持続すれば手術治療が必要であるが、単純腰痛又は腰痛が始まって間もない場合には脊椎神経成形術又は神経遮断術のような非手術治療を受けることが現在の趨勢である。統計資料によると、手術治療を受ける患者は総患者の１０％位であり、大部分の患者は非手術治療のみでも好転が可能であると知られている。
【０００４】
脊椎非手術治療の代表的な事例である神経成形術及び神経遮断術は脊髄神経を取り囲んでいる非常に狭小な隙間空間（ｇａｐ）である硬膜上腔（Ｅｐｉｄｕｒａｌ  Ｓｐａｃｅ）に直径１．７ｍｍの細いカテーテル（ラツカテーテル；Ｒａｃｚ  Ｃａｔｈｅｔｅｒ）を挿入し、薬物を注入して痛症がある神経周囲の炎症及び浮腫を減少させて自律神経系の正常な反応を誘導する非手術治療法である。
【０００５】
このような非手術治療法である脊椎神経成形術や神経遮断術は、治療薬物を投与するために人体に挿入される１．７ｍｍの細い医療用カテーテルが脊椎内の損傷した神経を取り囲んでいる硬膜上腔に正確に到達したかが手術の成否を決定する重要な基準となる。
【０００６】
一般的に知られている硬膜上腔を識別するための施術法としては、穿刺針が黄色靭帯を突き抜くとき、施術者の手先に伝わる主観的な感じで認知する主観的施術法、空気又は生理食塩水を用いた抵抗消失施術法、そして超音波監視下の穿刺法が知られている。
【０００７】
痛症クリニック及び専門治療病院で神経成形術及び神経遮断術を施術するために一番普遍的に用いている硬膜上腔を識別するための抵抗消失施術法は、注射器に空気又は食塩水を満たし、施術しようとする脊椎部位に針を穿刺して前進させながら、注射器のピストンを押して空気又は食塩水が消失しなければ針が筋肉層に泊まって抵抗があると判断し、注射器内の空気又は食塩水が外部に排出されて消失すれば抵抗なしに隙間空間である硬膜上腔に到逹したと判断する一次元的な方法である。
【０００８】
このような抵抗消失施術法は現在さまざまな施術法のうち施術の簡便性のため硬膜上腔を認知するのに一番広く使われているが、注射器内の空気又は液体の急な抵抗消失を施術者が認知することによっては硬膜上腔に到逹したかを正確に確証することができないという問題点がある。すなわち、硬膜上腔以前に分布されている黄色靭帯が正中部で閉まっていない患者は穿刺針が黄色靭帯を突き抜く感じが発生しないため、穿刺針が硬膜上腔を通って脊髄まで到逹するとか、年寄り又は先天的な棘間靱帯変形患者は棘間靭帯の変性による空洞形成（ｃａｖｉｔｙ  ｆｏｒｍａｔｉｏｎ）の結果として筋肉層の間に硬膜上腔のような隙間空間が存在し、よってこの隙間空間を硬膜上腔と混同する間違いを引き起こすこともある。
【０００９】
前記のような問題点を解決するために、大韓民国特許登録第１、５５９、７４０号には、人体の筋肉と硬膜上腔からそれぞれ発生した生体圧力信号を電気的絶縁状態で接触して直接圧力を測定し、圧力の差をそれぞれ検出してデジタル方式の電気的信号に変換して出力する硬膜圧力センサー部、硬膜圧力センサー部が検出した信号のレベルを入力して設定の増幅割合でデジタル増幅する硬膜圧力差動増幅部、硬膜圧力差動増幅部から増幅した信号と増幅割合をそれぞれ入力し、前記増幅割合に対応する状態で保存された基準信号とデジタル信号の処理方式で比較して大きな値であるか小さな値であるかを判断して出力する硬膜圧力比較部、硬膜圧力比較部が出力したデジタル信号を入力して保存する硬膜圧力ラッチ部、及び硬膜圧力ラッチ部が出力した信号によって赤色と緑色のうち選択されたいずれか一色相を発光する硬膜圧力表示部を含むデジタル（ｄｉｇｉｔａｌ）方式で運用されるエピチェックポイントについて開示されている。
【００１０】
前記のような先行技術によると、硬膜上腔に薬物を注入するためには硬膜圧力検出ハウジング部と頸椎痲酔用針を分離した後、また薬物注入用注射器を頸椎痲酔用針と連結しなければならない。しかし、硬膜圧力検出ハウジング部と頸椎痲酔用針を分離するとか頸椎痲酔用針を連結させる場合、外力による揺れによって頸椎痲酔用針の位置が移動し、結果として幅が数ｍｍに過ぎない硬膜上腔を離脱することになる場合が頻繁に発生し得るという問題点を依然として持っている。
【先行技術文献】
【特許文献】
【００１１】
【特許文献１】大韓民国特許登録第１、５５９、７４０号公報
【発明の概要】
【発明が解決しようとする課題】
【００１２】
本発明は前記のような問題点を解決するためになされたもので、脊椎神経成形術又は神経遮断術の施術時、硬膜上腔を正確に認知し、さらに穿刺針と探知装置を分離しなかった状態でも薬物の注入が可能な硬膜上腔認知探知装置を提供することを目的とする。
【００１３】
また、本発明は、穿刺針が硬膜上腔に到逹したかを速かに知らせ、使用者はこれを易しく認知することができる使用上の便利性が向上した硬膜上腔認知探知装置を提供することを目的とする。
【００１４】
また、本発明は、硬膜上腔を認知した後、薬物注入用カテーテルが事前検診で指定された位置まで正確に到逹したかを判断することができる機能が付加された硬膜上腔認知探知装置を提供することを目的とする。
【課題を解決するための手段】
【００１５】
前記のような技術的課題を解決するための本発明による硬膜上腔認知探知装置は、所定形状の上部ケース；及び上部ケースと結合されて所定の空間部を形成する下部ケースを含み、一端部は穿刺針部と連通し、他端部は着脱可能なキャップ部が備えられ、外周面の所定位置には圧力を測定する圧力センサーと連通する開口部が備えられた連結チューブを空間部の所定位置に備え、穿刺針部が硬膜上腔に到逹すれば、連結チューブと穿刺針部が結合された状態で薬物注入用カテーテルが連結チューブに挿入されて硬膜上腔に到逹することができるようにすることを特徴とする。
【００１６】
また、上部ケースには穿刺針部を固定するための固定突起を備え、下部ケースには穿刺針部を収容して固定する固定切欠部を備え、空間部には圧力センサーの結果を演算するプログラムが組み込まれたプリント基板をさらに備えることができる。
【００１７】
また、演算された圧力センサーの結果値を知らせるＬＥＤランプをプリント基板にさらに備えることができる。
【００１８】
また、薬物注入用カテーテルの移動距離を感知することができる移動距離センサーをプリント基板にさらに備えることができる。
【００１９】
また、移動距離センサーの結果を知らせるＬＣＤ表示窓をプリント基板にさらに備えることができる。
【００２０】
また、上部ケースは拡散ＰＣから製作されてもよい。
【００２１】
また、上部ケースの一側面には電源ボタン及びリセットボタンをさらに備えることができる。
【００２２】
また、連結チューブの一端部と他端部は上部ケースと下部ケース間の空間部の外部に突出するように備えられることができる。
【００２３】
また、穿刺針部と連結される連結チューブの一端部の外側面には外形拡張部をさらに備えることができる。
【００２４】
また、外形拡張部は弾性体からなってもよい。
【発明の効果】
【００２５】
以上のような本発明の硬膜上腔認知探知装置は、圧力センサーを備えて硬膜上腔を正確に認知することができ、穿刺針と探知装置を分離しなくても硬膜上腔に薬物注入用カテーテルを挿入することが可能であって神経成形術又は神経遮断術の施術成功可能性を高めることができるという効果がある。
【００２６】
また、本発明による硬膜上腔認知探知装置は、穿刺針と連結される結合部に外形を確張することができる構成を備えているので、単一探知装置のみでも内径の相異なる穿刺針を使うことができ、探知装置の活用性を大きく高めることができるという利点がある。
【００２７】
また、本発明による硬膜上腔認知探知装置は、薬物注入用カテーテルの移動距離又は位置を正確に把握することができる移動距離センサーを備えて所望の位置に薬物を注入することが可能であるという効果がある。
【００２８】
また、本発明による硬膜上腔認知探知装置は、ＬＥＤランプ、ＬＣＤ表示窓を備えているので、穿刺針の硬膜上腔に到達したかと薬物注入用カテーテルの移動距離を速かに把握することが可能であるという利点がある。
【図面の簡単な説明】
【００２９】
【図１】本発明の硬膜上腔認知探知装置の外形写真である。
【図２】本発明の硬膜上腔認知探知装置に穿刺針（ａ：スパインニードル、ｂ：硬膜外針）が付着された外形写真である。
【図３】本発明の硬膜上腔認知探知装置に穿刺針が付着された状態の斜視図である。
【図４】本発明の硬膜上腔認知探知装置に穿刺針が付着された状態の側面図である。
【図５】本発明の硬膜上腔認知探知装置に穿刺針が付着された状態の平面図である。
【図６】図３の斜視図の分解図である。
【図７】図４の側面図の分解図である。
【図８】本発明の硬膜上腔認知探知装置に穿刺針が付着された状態で薬物注入用カテーテルが挿入された状態の斜視図である。
【図９】図８の平面図である。
【発明を実施するための形態】
【００３０】
以下、本発明による硬膜上腔認知探知装置について添付図面に基づいて説明する。
【００３１】
本出願で、“含む”、“有する”又は“備える”などの用語は明細書上に記載された特徴、数字、段階、構成要素、部分品又はこれらを組み合わせたものが存在することを指定しようとするもので、一つ又はそれ以上の他の特徴、数字、段階、動作、構成要素、部分品又はこれらを組み合わせたものの存在又は付加の可能性を予め排除しないものとして理解しなければならない。
【００３２】
また、特に他に定義しない限り、技術的又は科学的な用語を含む、ここで使われる全ての用語は本発明が属する技術分野で通常の知識を有する者が一般的に理解しているものと同一の意味を有している。一般的に使われる前もって定義されているもののような用語は関連技術の文脈上で有する意味と一致する意味を有するものと解釈されなければならなく、本出願で明白に定義しない限り、理想的に又は過度に形式的な意味と解釈されない。
【００３３】
図１は本発明の一実施例による硬膜上腔認知探知装置の外形写真、図２は本発明の硬膜上腔認知探知装置に穿刺針（ａ：スパインニードル、ｂ：硬膜外針）が付着された外形写真である。
【００３４】
すなわち、本発明の硬膜上腔認知探知装置は、図２に示したように、穿刺針であるスパインニードル又は硬膜外針を結合した状態で硬膜上腔を捜すために使う医療機器である。
【００３５】
図３は本発明の硬膜上腔認知探知装置に穿刺針が付着された状態の斜視図、図４は図３の側面図、図５は図３の平面図、図６は図３の斜視図の分解図、図７は図４の側面図の分解図である。
【００３６】
前記図面から分かるように、本発明の硬膜上腔認知探知装置は、所定の形状を有する上部ケース１００と下部ケース２００を含んでなり、上部ケース１００と下部ケース２００の結合によって形成される空間部２２０には後述するプリント基板３００、圧力センサー４００、連結チューブ５００、バッテリー６００などを収容することができる。
【００３７】
本発明の硬膜上腔認知探知装置の上部ケース１００は外側面の所定位置に向き合う一対の固定突起１３０が形成されることができる。前記一対の固定突起１３０は認知探知装置に穿刺針部７００を安定的に固定させるためのもので、穿刺針部７００の締結部７２０が後述する下部ケース２００の固定切欠部２１０に装着されれば、前記上部ケース１００の固定突起１３０が穿刺針部７００を上から密着状態で固定支持させることにより、穿刺針部７００が認知探知装置に堅固に結合される。
【００３８】
上部ケース１００の外側面の所定位置には電源ボタン１１０とリセットボタン１２０をさらに備えることが好ましい。
【００３９】
前記電源ボタン１１０は、硬膜上腔及び薬物注入用カテーテルの移動距離を測定して結果を使用者に知らせるための圧力センサー４００、ＬＥＤランプ３１０、ＬＣＤ表示窓３２０などに電力を供給して制御するプリント基板３００を作動させようとする場合に電源を供給することができる。
【００４０】
前記リセットボタン１２０は圧力センサーの測定値又はカテーテル１０００の移動距離の結果を初期化するためのもので、具体的な説明は後述する。
【００４１】
ここで、上部ケース１００はＬＣＤ表示窓３２０で表示した結果を外部で易しく分かるように透光性素材からなることが好ましく、光拡散の機能を有する拡散ＰＣ（ｐｏｌｙｃａｒｂｏｎａｔｅ）からなることがもっと好ましい。
【００４２】
下部ケース２００は前記上部ケース１００と対応する形状を有し、エッジ部の所定位置に固定切欠部２１０が形成されることができる。前記固定切欠部２１０は、前述したように、上部ケース１００の固定突起１３０と一緒に穿刺針部７００を安定的に固定させるためのものである。
【００４３】
また、前記下部ケース２００の外側面の所定位置には、空間部２２０に収容されたプリント基板３００、ＬＥＤランプ３１０、ＬＣＤ表示窓３２０、移動距離センサー３３０及び圧力センサー４００が作動するときに発生する熱を外部に放出するための放熱孔２３０を備えることが好ましい。
【００４４】
本発明の上部ケース１００と下部ケース２００は略方形のものが示されているが、これは一例示に過ぎないだけ、当業者であればケースの外形を変形することができるのは自明である。
【００４５】
前記上部ケース１００と下部ケース２００が結合されて形成される空間部２２０には、プリント基板３００、ＬＥＤランプ３１０、ＬＣＤ表示窓３２０、移動距離センサー３３０、圧力センサー４００、連結チューブ５００及びバッテリー６００を収容することができる。
【００４６】
図６及び図７に基づき、本発明の主要核心構成の一つである連結チューブ５００について具体的に説明する。
【００４７】
前記空間部２２０に収容される連結チューブ５００は両端部と外周面の所定部位が開口した所定の内径を有する長い円筒状になることができる。
【００４８】
ここで、前記連結チューブ５００の内径は特に制限しないが、薬物用注入カテーテル１０００が貫くことができる内径範囲を有することが好ましい。
【００４９】
連結チューブ５００の一端部は穿刺針部７００と水平に連通し、他端部はキャップ部５１０が着脱可能に備えられることができる。また、外周面の所定部位に形成された開口部５３０は穿刺針が挿入された位置での圧力を測定することができるように圧力センサー４００と連通する。
【００５０】
前記構成を有する圧力測定について具体的に説明すると、硬膜上腔を捜すために皮膚の内部に挿入された穿刺針と連結チューブ５００は互いに連結されており、連結チューブ５００の他端部はキャップ部５１０によって密閉された状態なので、連結チューブ５００の開口部５３０と連通する圧力センサー４００はニードルが挿入された位置での圧力を正確に測定することができる。
【００５１】
ここで、前記連結チューブ５００の他端部に備えられるキャップ部５１０は人体内に挿入された穿刺針が位置する部位の圧力を測定することができるようにし、また硬膜上腔を認知した場合には薬物注入用カテーテル１０００で硬膜上腔に薬物を注入することができるようにするためのものである。
【００５２】
すなわち、硬膜上腔を捜すためには周囲圧力（大気圧）に影響されないように連結チューブ５００にキャップ部５１０を付着した状態で圧力を測定しなければならないが、硬膜上腔の位置を正確に把握した後には、前記連結チューブ５００からキャップ部５１０を分離した後、連結チューブ５００の内部空間部に薬物注入用カテーテル１０００を挿入することになる。
【００５３】
前記のように、本発明の硬膜上腔認知探知装置は、一端部が穿刺針部７００と水平に連通し、他端部は着脱可能なキャップ部５１０が備えられ、外周面の所定部位には圧力センサー４００と連通する開口部５３０が形成された連結チューブ５００を備えているので、硬膜上腔を正確に捜すことができるだけでなく薬物用注入カテーテル１０００を硬膜上腔に正確に挿入することが可能である。
【００５４】
すなわち、従来技術では本発明の連結チューブ５００のような機能を果たすことができる構成が存在しないため、硬膜上腔を正確に捜しにくいだけでなく正確に捜したと言っても薬物注入用カテーテル１０００を穿刺針部７００に挿入するためには穿刺針部７００から探知装置本体を分離しなければならなく、この過程で穿刺針部７００の位置が移動する可能性が非常に高いため、硬膜上腔に薬物注入用カテーテル１０００を正確に挿入することが非常に難しいという問題点があった。
【００５５】
一方、前記キャップ部５１０と前記連結チューブ５００は物理的外力で着脱可能な固定方式であれば特に制限しないが、好ましくは雄ネジと雌ネジ間の締結方式であり得る。硬膜上腔からニードルが移動することを防止するためには探知装置の動きを最小化する必要があるという点で雄ネジと雌ネジ間の締結方式が好ましく、また気密維持のためにキャップ部５１０にパッキングを備えることが一番好ましい。
【００５６】
また、連結チューブ５００の一端部と他端部は前記上部ケース１００と下部ケース２００間の空間部２２０の外部に所定長さだけ突出することが好ましい。
【００５７】
一端部は穿刺針部７００と物理的に連結され、他端部はキャップ部５１０と連結されるから、穿刺針部７００の交替とキャップ部５１０の容易な着脱のためには前記空間部２２０の外部に所定長さだけ突出するように設計することが好ましい。
【００５８】
また、穿刺針部７００と連結される前記連結チューブ５００の一端部の外側面には外形拡張部５２０をさらに備えることが好ましい。
【００５９】
硬膜上腔を探知するためのニードルとしては、一般的にスパインニードル７１０と硬膜外針７１０’が使われ、これらのスパインニードル７１０と硬膜外針７１０’は締結部７２０の内径が違いため、硬膜上腔を捜すための探知装置を別に備えなければならない煩わしさがある。しかし、本発明は、単一探知装置でも内径の相異なるニードルのいずれも使うことができるように、穿刺針部７００と連結される連結チューブ５００の一端部に外径を変化させることができる外形拡張部５２０をさらに備えている。
【００６０】
一例として、連結チューブ５００の一端部の外側面所定位置に所定の幅及び高さを有する外形拡張部５２０を備えることで、内径の小さなニードルの場合には連結チューブ５００の外形拡張部５２０が付着されていない一端部にのみ嵌合式で結合させ、内径の大きなニードルの場合には外形拡張部５２０まで挿入して連結することができる。
【００６１】
ここで、外形拡張部５２０は外力によって体積が変わることができる弾性体からなることが好ましいが、これに限定しない。
【００６２】
また、添付図面には外形拡張部５２０が一つである場合のみを示しているが、必要によって多数の外形拡張部５２０を備えることができるのは言うまでもない。
【００６３】
前記連結チューブ５００の外周面の所定位置に形成された開口部５３０と連通する圧力センサー４００は圧力変化がない筋肉の位置、圧力変化が発生する硬膜上腔の位置を把握するためのもので、圧力センサー４００の具体的な構成は公知の技術に当たるので、その詳細な説明は省略する。
【００６４】
前記圧力センサー４００の上部にはプリント基板３００を、前記プリント基板３００の上部にはＬＥＤランプ３１０とＬＣＤ表示窓３２０を、かつ前記連結チューブ５００と前記プリント基板３００の間には移動距離センサー３３０をさらに備えることができる。
【００６５】
人体の筋肉と硬膜上腔での圧力差はわずか５ｍｂａｒほどに過ぎないので、使用者に変化した圧力値を知らせるためには、圧力センサー４００からの電気的信号を増幅させる必要がある。
【００６６】
したがって、前記プリント基板３００には、圧力センサー４００からの電気的信号を増幅させ、設定の圧力値に相当するかを比較して出力するプログラムが組み込まれている。また、前記プログラムは、圧力センサー４００の測定値が設定の圧力値範囲内にある場合、ＬＥＤランプ３１０を点滅させて使用者に信号を送信する機能をすることができ、移動距離センサー３３０の結果値をＬＣＤ表示窓３２０に表示する機能もする。
【００６７】
前記ＬＥＤランプ３１０とＬＣＤ表示窓３２０についてより具体的に説明すると、穿刺針が硬膜上腔に到逹すればＬＥＤランプ３１０が発光するとか点滅することによって硬膜上腔の正確な位置を使用者に知らせる機能をする。
【００６８】
前記ＬＣＤ表示窓３２０は前記連結チューブ５００の内部空間部を通して硬膜上腔に注入する薬物注入用カテーテル１０００の移動距離を知らせる機能をする。すなわち、硬膜上腔の位置を把握した後には、薬物注入用カテーテル１０００を体内に挿入して薬物の注入が必要な位置まで到達させなければならない。したがって、本発明は、薬物注入用カテーテル１０００の移動距離又は位置を正確に把握するために、薬物注入用カテーテル１０００の移動距離を測定するための移動距離センサー３３０をさらに備えることができる。
【００６９】
前記薬物注入用カテーテル１０００の移動距離を測定する原理は非接触式方式であることが好ましい。一例として、使用者が薬物注入用カテーテル１０００を挿入すれば、レーザーセンサーが移動距離を感知して演算した後、その結果をＬＣＤ表示窓３２０に表示することにより、人体の内部にいくらの長さで挿入されたかを使用者が易しく把握することができる。
【００７０】
もちろん、薬物注入用カテーテル１０００の移動距離を感知することができるように、前記連結チューブ５００の所定部位に透明窓を備えるとか連結チューブ５００を透明素材で製作することは言うまでもない。
【００７１】
一方、前記上部ケース１００の所定位置に備えられたリセットボタン１２０は測定した圧力値又は移動距離を再測定しようとする場合、測定値を初期化するためのボタンである。
【００７２】
前記連結チューブ５００の底部にはポータブルバッテリー６００を備えることで、プリント基板の内部の全ての電気的装置に電力を供給することになる。
【００７３】
以下では、前述した構成を有する本発明の硬膜上腔認知探知装置を用いて硬膜上腔を捜して薬物を注入する過程について説明する。
【００７４】
まず、硬膜上腔を捜すために人体のどの部位に穿刺針を挿入するかを決定し、それによってスパインニードル又は硬膜外針を選定する。
【００７５】
選定されたニードルを本発明の探知装置、具体的には連結チューブ５００の一端部に結合し、他端部にはキャップ部５１０を固定させる。ついで、上部ケース１００の外側面の所定位置に備えられた電源ボタン１１０を押すことで、硬膜上腔認知探知装置が作動するように準備する。
【００７６】
患者の指定部位にニードルを挿入しながらＬＥＤランプ３１０が発光する硬膜上腔を探知し、硬膜上腔にニードルが位置すれば、連結チューブ５００のキャップ部５１０を分離した後、連結チューブ５００の所定空間部に薬物注入用カテーテル１０００を挿入し、上部ケース１００に表示される薬物注入用カテーテル１０００の移動距離を確認しながら事前検診で指定された位置まで薬物注入用カテーテル１０００を挿入した後、薬物を注入する。
【００７７】
以上で本発明の内容の特定部分を詳細に説明したが、当該分野の通常の知識を有する者にこのような具体的記述はただ好適な実施態様であるだけ、それによって本発明の範囲が制限されるものではなく、本発明の範疇及び技術思想範囲内で多様な変更及び修正が可能であるのは当業者に明らかなものであり、このような変形及び修正が添付の特許請求範囲に属するものであることも言うまでもない。
【符号の説明】
【００７８】
１００    上部ケース
２００    下部ケース
３００    プリント基板
４００    圧力センサー
５００    連結チューブ
６００    バッテリー
７００    穿刺針部
１０００    カテーテル
【図１】
2018532552.tif 000003
【図２（ａ）】
2018532552.tif 000004
【図２（ｂ）】
2018532552.tif 000005
【図３】
2018532552.tif 000006
【図４】
2018532552.tif 000007
【図５】
2018532552.tif 000008
【図６】
2018532552.tif 000009
【図７】
2018532552.tif 000010
【図８】
2018532552.tif 000011
【図９】
2018532552.tif 000012
【国際調査報告】
2018532552.tif 000013
2018532552.tif 000014
2018532552.tif 000015
2018532552.tif 000016